(57)【要約】【課題】静電容量式タッチパネルにおいて、パターン見えを減らす【解決手段】静電容量式タッチパネル１Ａでは、第１ダミー電極パターン５１Ａは、複数の第１ダミー電極５１ａを有する。第２ダミー電極パターン５３Ａは、複数の第２ダミー電極５３ａを有する。第２ダミー電極パターン５３Ａは、第１ダミー電極パターン５１Ａの複数のダミー電極５１ａの第１隙間６５に対応する覆い部分７５を有しており、それにより第１電極パターン９Ａ、第２電極パターン１７Ａ、第１ダミー電極パターン５１Ａ、及び第２ダミー電極パターン５３Ａがともに形成されていない部分を減らしている。【選択図】図６
2018120276.tif 000002
【特許請求の範囲】
【請求項１】
１枚の透明基材又は第１透明基材及び第２透明基材の組み合わせと、
前記透明基材の第１面又は前記第１透明基材の一面に形成された第１電極パターンと、
前記透明基材の前記第１面又は前記第１透明基材の前記一面に形成され、複数の第１ダミー電極を有する第１ダミー電極パターンと、
前記透明基材の第２面又は前記第２透明基材の一面に形成された第２電極パターンと、
前記透明基材の前記第２面又は前記第２透明基材の前記一面に形成され、複数の第２ダミー電極を有する第２ダミー電極パターンと、
前記第２ダミー電極パターンは、前記第１ダミー電極パターンの前記複数の第１ダミー電極の縁部に対応する覆い部分を有しており、それにより平面視で前記第１電極パターン、前記第２電極パターン、前記第１ダミー電極パターン及び前記第２ダミー電極パターンがともに形成されていない部分を減らしている、
静電容量式タッチパネル。
【請求項２】
前記複数の第１ダミー電極の前記縁部は直線形状であり、
前記複数の第２ダミー電極の縁部が前記複数の第１ダミー電極の縁部に対応する複数の斜め形状部の周りによって前記覆い部分を構成することで、前記覆い部分が前記複数の第１ダミー電極の前記縁部を覆っている、請求項１に記載の静電容量式タッチパネル。
【請求項３】
前記第１電極パターン及び前記第２電極パターンは菱形形状の電極を有しており、
前記複数の第１ダミー電極及び前記複数の第２ダミー電極は菱形形状であり、
前記複数の第１ダミー電極の複数の微細部分のうち最外側のものは、隣接する第１電極との間の第１隙間及び前記第１隙間の内側で並列に配置された第２隙間を有しており、
前記複数の第２ダミー電極の複数の微細部分のうち最外側のものは、隣接する第２電極との間の第３隙間及び前記第３隙間の内側で並列に配置された第４隙間を有しており、
前記第１隙間及び前記第２隙間が各々直線形状であり、
前記第３隙間及び前記第４隙間が複数の斜め形状であり、前記第３隙間及び前記第４隙間の周りが前記覆い部分を構成しており、前記覆い部分が前記複数の第１ダミー電極の前記第１隙間及び前記第２隙間をそれぞれ覆っており、
前記複数の第１ダミー電極は、前記第１隙間と前記第２隙間との間を延びている複数の第５隙間を有しており、
前記複数の第２ダミー電極は、前記第３隙間と前記第４隙間との間を延びており、前記複数の第５隙間同士の中間位置に形成されている複数の第６隙間を有しており、前記複数の第６隙間同士の間が覆い部分を構成することで前記複数の第５隙間を覆っている、請求項２に記載の静電容量式タッチパネル。
【請求項４】
１枚の透明基材又は互いに接着された第１透明基材及び第２透明基材と、
前記透明基材の第１面又は前記第１透明基材の一面に形成され、複数の第１電極を有する第１電極パターンと、
前記透明基材の第２面又は前記第２透明基材の一面に形成され、複数の第２電極を有する第２電極パターンと、
前記透明基材の前記第２面又は前記第２透明基材の前記一面に形成され、複数のダミー電極を有するダミー電極パターンと、
前記複数のダミー電極は、前記第１電極パターンの複数の第１電極同士の複数の隙間に対応する覆い部分を有しており、それにより前記第１電極パターン、前記第２電極パターン及び前記ダミー電極パターンがともに形成されていない部分を減らしている、
静電容量式タッチパネル。
【請求項５】
前記複数の第１電極同士の隙間は直線形状であり、
前記複数のダミー電極同士の複数の隙間は前記複数の第１電極同士の隙間に対応する複数の斜め形状隙間を有しており、前記複数の斜め形状隙間の周りが前記覆い部分を構成しており、前記覆い部分が前記複数の第１電極同士の隙間を覆っている、請求項４に記載の静電容量式タッチパネル。
【請求項６】
前記複数の第１電極同士の複数の隙間は直線形状であり、
前記複数のダミー電極は、前記複数の第１電極同士の隙間及び前記隙間の両側に対応する部分が前記覆い部分を構成しており、前記覆い部分が前記複数の第１電極同士の隙間を覆っている、請求項４に記載の静電容量式タッチパネル。
【発明の詳細な説明】
【技術分野】
【０００１】
本発明は、静電容量式タッチパネルに関する。
【背景技術】
【０００２】
静電容量式タッチパネルは、一般的に、互いに対向して配置された複数の第１透明電極と複数の第２透明電極とを有しており、各透明電極は１枚の透明フィルムの両面に又は２枚の透明フィルムの各片面に形成されている。
さらに、同じ種類の複数の透明電極同士の平面方向間にダミー電極を設けたタッチパネルが知られている（特許文献１を参照）。ダミー電極により、透明電極が配置された部分と他の部分との光透過率の差が小さくなり、したがって透明電極が視認されにくくなる。なお、ダミー電極は、一般的に、寄生容量の低減を図るために、複数の微細領域に分割されている。
【先行技術文献】
【特許文献】
【０００３】
【特許文献１】特開２００８−１２９７０８号公報
【発明の概要】
【発明が解決しようとする課題】
【０００４】
透明基材上に形成される透明導電膜の材料としては、酸化スズ（ＳｎＯ2）、酸化インジウムスズ（ＩＴＯ）や酸化亜鉛（ＺｎＯ）が従来知られている。
近年、透明導電膜の材料として、金属ナノワイヤが研究されている。金属ナノワイヤは直径が小さいので、可視光領域での光透過性が高く、ＩＴＯに代わる透明導電膜としての応用が期待されている。金属ナノワイヤの一例として、銀ナノワイヤ（ＡｇＮＷ）がある。
【０００５】
本願の発明者は、銀ナノワイヤからなる透明電極を有する透明導電フィルムを用いた静電容量式タッチパネルでは、下記の問題が生じ得ることに着目した。
つまり、銀ナノワイヤは、本来、白っぽい反射色を有しているので、ディスプレイがＯＦＦされて黒い画面になるときに、タッチパネルを通してディスプレイ画面が白く見えることがある。特に、パターニングにより銀ナノワイヤを除去した場所は透明になるので、銀ナノワイヤがある部分とない部分の対比によってパターン見えが生じることがある。
また、例えば、一方の電極とダミー電極パターンの境界と他方の電極とダミー電極パターンの境界とが平面で重なる領域では、各境界の隙間同士が重なることで「平面視で電極材料が形成されていない部分」の箇所及び面積が多くなることがある。
【０００６】
本発明の目的は、静電容量式タッチパネルにおいて、パターン見えを減らすことにある。
【課題を解決するための手段】
【０００７】
以下に、課題を解決するための手段として複数の態様を説明する。これら態様は、必要に応じて任意に組み合せることができる。
【０００８】
本発明の一見地に係る静電容量式タッチパネルは、１枚の透明基材又は第１透明基材及び第２透明基材の組み合わせと、第１電極パターンと、第１ダミー電極パターンと、第２電極パターンと、第２ダミー電極パターンとを備えている。
第１電極パターンは、透明基材の第１面又は第１透明基材の一面に形成されている。
第１ダミー電極パターンは、透明基材の第１面又は第１透明基材の一面に形成され、複数の第１ダミー電極を有する。
第２電極パターンは、透明基材の第２面又は第２透明基材の一面に形成されている。
第２ダミー電極パターンは、透明基材の第２面又は第２透明基材の一面に形成され、複数の第２ダミー電極を有する。
第２ダミー電極パターンは、第１ダミー電極パターンの複数の第１ダミー電極の縁部に対応する覆い部分を有しており、それにより平面視で第１電極パターン、第２電極パターン、第１ダミー電極パターン及び第２ダミー電極パターンがともに形成されていない部分を減らしている。なお、「覆う」とは、平面視で対応してさらにその周辺にも存在する状態をいう。
このタッチパネルでは、平面視で第１電極パターン、第２電極パターン、第１ダミー電極パターン及び第２ダミー電極パターンがともに形成されていない部分（以後、「平面視で電極材料が形成されていない部分」という）を減らすことができ、それによりパターン見えを減らしている。
【０００９】
複数の第１ダミー電極の縁部は直線形状であり、
複数の第２ダミー電極の縁部が複数の第１ダミー電極の縁部に対応する複数の斜め形状部の周りによって覆い部分を構成することで、覆い部分が複数の第１ダミー電極の縁部を覆っていてもよい。
このタッチパネルでは、第２ダミー電極の縁部が複数の斜め形状部を有することで覆い部分を構成しているので、貼り合わせ誤差によって縁部同士がずれたとしても、平面視で電極材料が形成されていない部分は、複数の点であることが維持される。つまり、上記部分が線として現れることがない。
【００１０】
第１電極パターン及び第２電極パターンは菱形形状であってもよい。
第１ダミー電極及び第２ダミー電極は菱形形状であってもよい。
複数の第１ダミー電極の複数の微細部分のうち最外側のものは、隣接する第１電極パターンとの間の第１隙間及び第１隙間の内側で並列に配置された第２隙間を有していてもよい。
複数の第２ダミー電極の複数の微細部分のうち最外側のものは、隣接する第２電極パターンとの間での第３隙間及び第３隙間の内側で並列に配置された第４隙間を有していてもよい。
第１隙間及び第２隙間が各々直線形状であってもよい。
第３隙間及び第４隙間が複数の斜め形状であり、第3隙間及び第4隙間の周りが覆い部分を構成しており、覆い部分が複数の第１ダミー電極の第１隙間及び第２隙間をそれぞれ覆っていてもよい。
複数の第１ダミー電極は、第１隙間と第２隙間との間を延びている複数の第５隙間を有していてもよい。
複数の第２ダミー電極は、複数の第６隙間を有している。複数の第６隙間は、第３隙間と第４隙間との間を延びており、複数の第５隙間同士の中間位置に形成されている。複数の第６隙間同士の間が覆い部分を構成することで、複数の第５隙間を覆っている。
このタッチパネルでは、第２ダミー電極の第３隙間及び第４隙間が複数の斜め形状部を構成することで覆い部分として複数の第１ダミー電極の第１隙間及び第２隙間を覆っており、さらに、第２ダミー電極の複数の第６隙間同士の間が覆い部分を構成することで複数の第１ダミー電極の複数の第５隙間を覆っている。
【００１１】
本発明の他の見地に係る静電容量式タッチパネルは、１枚の透明基材又は第１透明基材及び第２透明基材と、第１電極パターンと、第２電極パターンと、ダミー電極パターンと、を備えている。
第１透明基材及び第２透明基材は、互いに接着されている。
第１電極パターンは、透明基材の第１面又は第１透明基材の一面に形成されており、複数の第１電極を有している。
第２電極パターンは、透明基材の第２面又は第２透明基材の一面に形成されており、複数の第２電極を有している。
ダミー電極パターンは、透明基材の第２面又は第２透明基材の一面に形成され、複数のダミー電極を有する。
複数のダミー電極は、第１電極パターンの複数の第１電極同士の複数の隙間に対応する覆い部分を有しており、それにより第１電極パターン、第２電極パターン及びダミー電極パターンがともに形成されていない部分を減らしている。
このタッチパネルでは、平面視で電極材料が形成されていない部分を減らすことができ、それによりパターン見えを減らしている。
【００１２】
複数の第１電極同士の複数の隙間は直線形状であってもよい。
複数のダミー電極同士の複数の隙間は複数の第１電極同士の隙間に対応する複数の斜め形状隙間を有しており、複数の斜め形状隙間の周りが覆い部分を構成しており、覆い部分が複数の第１電極同士の隙間を覆っていてもよい。
このタッチパネルでは、ダミー電極同士の複数の隙間が複数の斜め形状隙間を有することで覆い部分を構成しているので、貼り合わせ誤差によって隙間同士がずれたとしても、平面視で電極材料が形成されていない部分は複数の点であることが維持される。つまり、上記部分が線として現れることがない。
【００１３】
複数の第１電極同士の複数の隙間は直線形状であってもよい。
複数のダミー電極は、複数の第１電極同士の隙間及び隙間の両側に対応する部分が覆い部分を構成しており、覆い部分が複数の第１電極同士の隙間を覆っていてもよい。
このタッチパネルでは、複数のダミー電極の複数の隙間同士の間が覆い部分として複数の第１電極同士の隙間を覆っているので、平面視で電極材料が形成されていない部分が少なくなる。
【発明の効果】
【００１４】
本発明に係る静電容量式タッチパネルでは、パターン見えが少なくなる。
【図面の簡単な説明】
【００１５】
【図１】第１実施形態のタッチパネルの模式的平面図。
【図２】タッチパネルの模式的断面図。
【図３】第１電極パターンの模式的部分平面図。
【図４】第２電極パターンの模式的部分平面図。
【図５】第１電極パターン及び第２電極パターンの模式的部分平面図。
【図６】図５の部分拡大図。
【図７】図６において矢印部分の断面構造を描いた模式図。
【図８】変形例のタッチパネルの模式的平面図。
【図９】第２実施形態のタッチパネルの模式的平面図。
【図１０】タッチパネルの模式的断面図。
【図１１】第１電極パターンの模式的部分平面図。
【図１２】第２電極パターンの模式的部分平面図。
【図１３】第１電極パターン及び第２電極パターンの模式的部分平面図。
【図１４】図１３の部分拡大図。
【図１５】図１４において矢印部分の断面構造を描いた模式図。
【図１６】変形例のタッチパネルの模式的平面図。
【図１７】変形例の第１電極パターン及び第２電極パターンの模式的部分平面図。
【図１８】変形例の第１電極パターン及び第２電極パターンの模式的部分平面図。
【図１９】変形例の第１電極パターン及び第２電極パターンの模式的部分平面図。
【図２０】変形例の第１電極パターン及び第２電極パターンの模式的部分平面図。
【発明を実施するための形態】
【００１６】
１．第１実施形態
（１）タッチパネルの基本構成
図１〜図２を用いて、第１実施形態のタッチパネル１Ａを説明する。図１は、第１実施形態のタッチパネルの模式的平面図である。図２は、タッチパネルの模式的断面図である。
タッチパネル１Ａは、基本構造として、菱形又はダイヤモンド格子の電極パターンと基板２層構造を採用している。
【００１７】
タッチパネル１Ａは、多機能携帯電話（スマートフォン）や携帯ゲーム機等の電子機器に備えられ、タッチ入力デバイスとして機能する。これらの電子機器において、タッチパネル１Ａは、例えば液晶表示パネルや有機ＥＬ表示パネル等からなる表示装置と重ねて用いられる。
【００１８】
タッチパネル１Ａは、第１基板３Ａを有している。
タッチパネル１Ａは、第１絶縁層７Ａと、第１電極パターン９Ａとを有する。
【００１９】
タッチパネル１Ａは、第２基板１１Ａを有している。
タッチパネル１Ａは、第２絶縁層１５Ａと、第２電極パターン１７Ａとを有している。
タッチパネル１Ａは、さらに、第１ＰＡＳ層１９Ａと、第１引き回し配線２１Ａと、第２ＰＡＳ層２３Ａと、第２引き回し配線２５Ａと、を有している。
【００２０】
第１基板３Ａ上には、第１絶縁層７Ａ、第１電極パターン９Ａ、第１ＰＡＳ層１９Ａ及び第１引き回し配線２１Ａが設けられている。第２基板１１Ａ上には、第２絶縁層１５Ａと、第２電極パターン１７Ａ、第２ＰＡＳ層２３Ａ及び第２引き回し配線２５Ａが設けられている。さらに、第２基板１１Ａを含む積層体上に、第１基板３Ａを含む積層体が配置されている。
【００２１】
第１基板３Ａは、第１電極パターン９Ａを形成するためのベースとなる部材である。第１基板３Ａは、透明性、柔軟性、及び絶縁性等に優れた材料を用いて構成されていることが好ましい。このような要求を満足する材料としては、例えばポリエチレンテレフタレートやアクリル系樹脂等の汎用樹脂、ポリアセタール系樹脂やポリカーボネート系樹脂等の汎用エンジニアリング樹脂、ポリスルホン系樹脂やポリフェニレンサルファイド系樹脂等のスーパーエンジニアリング樹脂等が例示される。第１基板３Ａの厚みは、例えば、２５μｍ〜１００μｍとすることができる。本実施形態では、ポリエチレンテレフタレートフィルムにより第１基板３Ａが構成されている。なお、第１基板３Ａは、ガラス基板等を用いて構成されてもよい。
【００２２】
第１絶縁層７Ａは、第１基板３Ａ上に配置されている。第１絶縁層７Ａは、電気的絶縁性に優れた樹脂材料を用いて構成されていることが好ましい。本実施形態では、第１絶縁層７Ａは、一般的な感光性樹脂組成物を主体として構成されている。
第１絶縁層７Ａ上には、第１電極パターン９Ａが配置されている。すなわち、第１電極パターン９Ａは、第１絶縁層７Ａを介して第１基板３Ａ上に設けられている。図１に示すように、第１電極パターン９Ａは、複数の第１電極９ａを有している。複数の第１電極９ａは、Ｘ軸方向に沿って延在しており、Ｙ軸方向に並ぶように互いに平行に配置されている。各第１電極９ａは、Ｘ軸方向に沿って並んで配置されかつＸ軸方向に互いに接続された複数の第１菱形電極９ｂを有している。
【００２３】
第１ＰＡＳ層１９Ａは、第１絶縁層７Ａ及び第１電極パターン９Ａを全面的に覆い、第１電極パターン９Ａを保護する絶縁性の防錆層として機能している。第１ＰＡＳ層１９Ａは、一般的な感光性樹脂組成物を主体として構成されている。
第１電極パターン９Ａは、透明導電膜である。具体的には、第１電極パターン９Ａは、例えば酸化スズ、酸化インジウム、酸化アンチモン、酸化亜鉛、酸化カドミウム、及びＩＴＯ（Ｉｎｄｉｕｍ  Ｔｉｎ  Ｏｘｉｄｅ）等の金属酸物、銀ナノワイヤ、カーボンナノチューブ、ＰＥＤＯＴ、グラフェン、金属メッシュ、導電性ポリマーである。本実施形態では、銀ナノワイヤにより第１電極パターン９Ａが構成されている。
なお、本発明が解決しようとするパターン見えの問題の観点から本発明が特に必要とされるのはＰＥＤＯＴ、カーボンナノチューブ、銀ナノワイヤである。前二者は着色しており、銀ナノワイヤは透明ではあるが奥側の材料や色によって白っぽく反射するからである。
【００２４】
第１電極９ａの各々は、第１引き回し配線２１Ａに接続されている。第１引き回し配線２１Ａは、金、銀、銅、ニッケル、及びパラジウム等の金属又はカーボン等の導電性粒子を含むインクからなる導電性インクを主体として構成されている。なお、導電性インクを構成する導電性粒子の材料は、単一種類であってもよいし、複数種類の組み合わせであってもよい。本実施形態では、銀ナノ粒子を含む導電性インクを主体として、第１引き回し配線２１Ａが構成されている。
【００２５】
第２基板１１Ａ、第２ＰＡＳ層２３Ａ、第２引き回し配線２５Ａ、並びに第２絶縁層１５Ａ及び第２電極パターン１７Ａは、第２電極パターン１７Ａの形状及び配置に関する具体的構成を除き、第１基板３Ａ、第１ＰＡＳ層１９Ａ、第１引き回し配線２１Ａと同様の構成を備えている。
図１に示すように、本実施形態では、第２電極パターン１７Ａは、複数の第２電極１７ａを有している。複数の第２電極１７ａは、Ｙ軸方向に沿って延在しており、Ｘ軸方向に並ぶように互いに平行に配置されている。各第２電極１７ａは、Ｘ軸方向に交差（本例では直交）するＹ軸方向に沿って並んで配置されかつＹ軸方向に互いに接続された複数の第２菱形電極１７ｂを有している。
【００２６】
図１に示すように、第１電極パターン９Ａを構成する複数の第１菱形電極９ｂと、第２電極パターン１７Ａを構成する複数の第２菱形電極１７ｂとは、平面視で相補的な位置関係で配置されている。つまり、第１電極パターン９Ａと第２電極パターン１７Ａとは、これらの全体で、表示装置の表示領域を概ね全面的に覆うように配置されている。
第１引き回し配線２１Ａは、平面視で第１基板３Ａにおける周縁部に設けられている。第１引き回し配線２１Ａは、第１電極パターン９Ａの配置領域に対してＸ軸方向片側に配置されている。第１引き回し配線２１Ａは、Ｙ軸方向に沿って互いに平行に延びている。
【００２７】
第２引き回し配線２５Ａは、平面視で第２基板１１Ａにおける周縁部に設けられている。第２引き回し配線２５Ａは、第２電極パターン１７Ａの配置領域に対してＹ軸方向片側に配置されている。第２引き回し配線２５Ａは、Ｘ軸方向に沿って互いに平行に延びている。第１引き回し配線２１Ａ及び第２引き回し配線２５Ａの端部には、第１電極パターン９Ａ及び第２電極パターン１７Ａを外部の制御部に接続するための複数の外部接続端子２９Ａが設けられている。
第１電極パターン９Ａ及び第２電極パターン１７Ａに生じる静電容量の変化に応じて流れる電流を制御部で検知することで、ユーザーによるタッチ操作及びタッチ位置を検出できる。
【００２８】
（２）ダミー電極
図３〜図７を用いて、第１ダミー電極パターン５１Ａ及び第２ダミー電極パターン５３Ａを説明する。図３は、第１電極パターンの模式的部分平面図である。図４は、第２電極パターンの模式的部分平面図である。図５は、第１電極パターン及び第２電極パターンの模式的部分平面図である。図６は、図５の部分拡大図である。図７は、図６において矢印部分の断面構造を描いた模式図である。
【００２９】
図３に示すように、第１絶縁層７Ａにおける第１電極パターン９Ａが形成されていない領域に、第１ダミー電極パターン５１Ａが形成されている。第１ダミー電極パターン５１Ａは、第１電極パターン９Ａと同様の形状及び配列を有するが、第１電極パターン９Ａから電気的に絶縁されている。第１電極パターン９Ａ及び第１ダミー電極パターン５１Ａによって、第１絶縁層７Ａの全体が覆われる。したがって、第１電極パターン９Ａのパターン見えを減らせる。パターン見えを減らすためには、第１ダミー電極パターン５１Ａは、第１電極パターン９Ａと同じ材料であることが好ましい。
【００３０】
第１ダミー電極パターン５１Ａは、複数の第１ダミー電極５１ａを有している。各第１ダミー電極５１ａは、複数の第１菱形電極９ｂが形成されていない領域に形成された菱形の電極である。各第１ダミー電極５１ａは、格子状に形成された第１スリット（間隙）５１ｂによって、複数の微細領域５１ｃに分割されている。このように、第１ダミー電極パターン５１Ａの第１ダミー電極５１ａを、第１電極パターン９Ａの第１菱形電極９ｂに比して微細な島状のパターンとして形成することにより、第１ダミー電極パターン５１Ａに生じる寄生容量を低減できる。
【００３１】
図４に示すように、第２絶縁層１５Ａにおける第２電極パターン１７Ａが形成されていない領域に、第２ダミー電極パターン５３Ａが形成されている。第２ダミー電極パターン５３Ａは、第２電極パターン１７Ａと同様の形状及び配列を有するが、第２電極パターン１７Ａから電気的に絶縁されている。第２電極パターン１７Ａ及び第２ダミー電極パターン５３Ａによって第２絶縁層１５Ａの全体が覆われるので、第２電極パターン１７Ａのパターン見えを減らせる。パターン見えを減らすためには、第２ダミー電極パターン５３Ａは第２電極パターン１７Ａと同じ材料であることが好ましい。
第２ダミー電極パターン５３Ａは、複数の第２ダミー電極５３ａを有している。第２ダミー電極５３ａは、複数の第２菱形電極１７ｂが形成されていない領域に形成された菱形の電極である。各第２ダミー電極５３ａは、格子状に形成された第２スリット５３ｂによって、複数の微細領域５３ｃに分割されている。このように、第２ダミー電極パターン５３Ａの第２ダミー電極５３ａを、第２電極パターン１７Ｂの第２菱形電極１７ｂに比して微細な島状のパターンとして形成することにより、第２ダミー電極パターン５３Ａに生じる寄生容量を低減できる。
【００３２】
なお、第１ダミー電極５１ａに対応する平面位置には第２菱形電極１７ｂが形成されているので、大半の第１スリット５１ｂの箇所は「平面視で電極材料が全く形成されない部分」とはならない。また、第２ダミー電極５３ａに対応する平面位置には第１菱形電極９ｂが形成されているので、第２スリット５３ｂの箇所は「平面視で電極材料が全く形成されない部分」とはならない。
しかし、平面視において、第１ダミー電極５１ａと第１菱形電極９ｂとの境界部分と、第２ダミー電極５３ａと第２菱形電極１７ｂとの境界部分は、第１ダミー電極パターン５１Ａの第１スリット５１ｂが形成された部分（最外側部分）と第２ダミー電極パターン５３Ａの第２スリット５３ｂが形成された部分（最外側部分）とが重なり合っている。そこで、上記箇所での第１スリット５１ｂ、第２スリット５３ｂその他の隙間の重なりによって「平面視で電極材料が形成されていない部分」が生じる問題がある。
【００３３】
（３）第２ダミー電極パターンの覆い部分
上記の問題を低減するための構造を説明する。
第２ダミー電極パターン５３Ａは、第１ダミー電極パターン５１Ａの複数の第１ダミー電極５１ａの縁部に対応する覆い部分（後述）を有しており、それにより「平面視において第１ダミー電極パターン５１Ａ及び第２ダミー電極パターン５３Ａが平面視でともに形成されていない部分」を減らしている。その結果、パターン見えをさらに減らしている。
【００３４】
次に、第２ダミー電極パターン５３Ａの覆い部分を具体的に説明する。
（３−１）第１覆い部分
図４に示すように、第２ダミー電極５３ａの複数の微細領域５１ｃのうち最外側のものは、最外側の第１隙間６５と、第１隙間６５の内側で並列に配置された第２隙間６７（第１スリット５１ｂの一部である）を有している。第１隙間６５は、複数の第２ダミー電極５３ａと、隣接する第１菱形電極９ｂとの間の隙間である。第２隙間６７は、最も外側の微細領域５３ｃとその内側の微細領域５３ｃとの間の隙間である。第１隙間６５及び第２隙間６７は各々直線形状を有しており、第２ダミー電極５３ａの辺に沿って延びている。
【００３５】
図３及び図６に示すように、第１ダミー電極５１ａの複数の微細領域５１ｃのうち最外側のものは、最外側の第３隙間７１と、第３隙間７１の内側で並列に配置された第４隙間７３（第１スリット５１ｂの一部である）を有している。第３隙間７１及び第４隙間７３が、各々ジグザグ形状部を構成することでそれらの周辺つまり周りの部分に第１覆い部分７５を構成しており、それにより複数の第２ダミー電極５３ａの第１隙間６５及び第２隙間６７をそれぞれ覆っている。第３隙間７１と第４隙間７３は各々ジグザグ形状を有しており、第２ダミー電極５３ａの辺に沿って延びている。第３隙間７１は第２隙間６７に対応する位置に形成され、第４隙間７３は第１隙間６５に対応する位置に形成されている。
ここでの「ジグザグ形状」とは、複数の山型が連なって形成された形状である。この結果、図６に示すように、第３隙間７１と第２隙間６７が平面視で重なる部分は複数の点領域Ｐ１であり、さらに、第４隙間７３と第１隙間６５が平面視で重なる部分は複数の点領域Ｐ２になっている。
【００３６】
以上の配置関係によって、貼り合わせ誤差が生じたとしても、第１ダミー電極パターン５１Ａと第２ダミー電極パターン５３Ａが形成されていない部分（つまり、「平面視で電極材料が全く形成されていない部分」）は、複数の点領域であることが維持される。つまり、上記部分が線領域として生じない。
電極材料が銀ナノワイヤの場合は、電極材料が形成されている部分は白っぽく見えて、「電極材料が全く形成されていない部分」は黒く見えるが、上記の構成によって黒く見えるのは複数の点に過ぎないので、あまり目立たない。
【００３７】
図７の（ａ）は、図６のＡ−Ａ断面であって、１つの点領域Ｐ２を示している。
図７の（ｂ）は、図６のＢ−Ｂ断面であって、点領域Ｐは示されていない。
なお、本実施形態とは異なる第１の例として、例えば第３隙間７１及び第４隙間７３が直線状であって、それらが第１隙間６５及び第２隙間６７にそれぞれ重なってしまえば、「平面視で電極材料が全く形成されていない領域」が線状に形成されてしまう。
【００３８】
（３−２）第２覆い部分
第２ダミー電極５３ａは、複数の第５隙間６９を有している。複数の第５隙間６９は、第１隙間６５と第２隙間６７との間を延びている。つまり、複数の第５隙間６９は、第１ダミー電極５１ａの辺が伸びる方向に並んでおり、第２ダミー電極５３ａの辺に直交する方向に延びている。
第１ダミー電極５１ａは、複数の第６隙間７７を有している。複数の第６隙間７７は、第３隙間７１と第４隙間７３との間を延びている。つまり、複数の第６隙間７７は、第２ダミー電極５３ａの辺が伸びる方向に並んでおり、第２ダミー電極５３ａの辺に直交する方向に延びている。複数の第６隙間７７は、複数の第５隙間６９同士の中間位置に形成されている。複数の第６隙間７７同士の間が第２覆い部分８１を構成することで、それにより複数の第５隙間６９を覆っている。この結果、第５隙間６９と第６隙間７７が平面視で重なっていない。
【００３９】
以上の配置関係によって、貼り合わせ誤差によって第５隙間６９と第６隙間７７が予定の位置からずれたとしても、第５隙間６９と第６隙間７７が平面視で重なることが生じにくい。つまり、第１ダミー電極パターン５１Ａと第２ダミー電極パターン５３Ａが形成されていない部分（つまり、「平面視で電極材料が全く形成されていない部分」）が生じにくい。
なお、本実施形態とは異なる第２の例として、例えば第２ダミー電極パターン５３Ａが第５隙間６９に対応する位置に直線の隙間を有しており、それが第５隙間６９に重なってしまえば、「平面視で電極材料が全く形成されていない領域」が線状に形成されてしまう。
【００４０】
（４）第１実施形態の変形例
前記実施形態では、各電極パターンが２枚の基板各々に形成されたタッチパネルを説明したが、本発明は各電極パターンが１枚の基板の両面に形成されたタッチパネルにも適用できる。
【００４１】
以下、図８を用いて、そのような変形例を説明する。図８は、変形例のタッチパネルの模式的平面図である。
タッチパネル１Ｂは、基本構造として、菱形格子の電極パターンと基板１層構造を採用している。
タッチパネル１Ｂは、透明基板３Ｂを有している。
【００４２】
タッチパネル１Ｂは、第１絶縁層７Ｂと、第１電極パターン９Ｂとを有する。
タッチパネル１Ｂは、第２絶縁層１５Ｂと、第２電極パターン１７Ｂとを含む。
【００４３】
タッチパネル１Ｂは、第１引き回し配線２１Ｂと、第２引き回し配線（図示せず）と、を有している。
第１絶縁層７Ｂ、第１電極パターン９Ｂ及び第１引き回し配線２１Ｂが透明基板３Ｂの一方の面に設けられ、第２絶縁層１５Ｂ、第２電極パターン１７Ｂ及び第２引き回し配線が透明基板３Ｂの他方の面に設けられている。以上に述べたように、タッチパネル１Ｂは、１枚の透明基板３Ｂの両面に第１電極パターン９Ｂ及び第２電極パターン１７Ｂを備えることで、センサ全体としての薄型化が図られている。
【００４４】
２．第２実施形態
（１）タッチパネルの基本構成
図９〜図１０を用いて、第２実施形態のタッチパネル１Ｃを説明する。図９は、第２実施形態のタッチパネルの模式的平面図である。図１０は、タッチパネルの模式的断面図である。
タッチパネル１Ｃは、基本構造として、線状又は帯状の格子の電極パターンと基板２層構造を採用している。
タッチパネル１Ｃは、第１基板３Ｃと、その上に形成された第１電極パターン９Ｃとを有する。
タッチパネル１Ｃは、第２基板１１Ｃと、その上に形成された第２電極パターン１７Ｃとを有する。
【００４５】
タッチパネル１Ｃは、さらに、第１引き回し配線２１Ｃと、第２引き回し配線２５Ｃと、を有している。
さらに、第２基板１１Ｃを含む積層体上に、第１基板３Ｃを含む積層体が接着層９９を介して配置されている。
【００４６】
図９及び図１１に示すように、第１電極パターン９Ｃは、Ｙ軸方向に沿って並んで配置された複数の短冊状の第１電極９ｃを有する。第１電極９ｃの各々は、全体として、Ｘ軸方向に沿って延在するように形成されている。複数の第１電極９ｃは、Ｙ軸方向に並ぶように互いに平行に配置されている。
第１電極９ｃ同士の間には隙間８９が形成されている。隙間８９の幅は、第１電極９ｃの幅に比べて極端に短くなっている。
【００４７】
第２電極パターン１７Ｃは、Ｘ軸方向に沿って並んで配置された複数の短冊状の第２電極１７ｃを有している。第２電極１７ｃの各々は、全体として、Ｙ軸方向に沿って延在するように形成されている。複数の第２電極１７ｃは、Ｘ軸方向に並ぶように互いに平行に配置されている。
【００４８】
第１引き回し配線２１Ｃは、平面視で第１基板３Ｃにおける周縁部に設けられている。第１引き回し配線２１Ｃは、第１電極パターン９Ｃの配置領域に対してＸ軸方向片側に設けられている。第１引き回し配線２１Ｃは、Ｙ軸方向に沿って互いに平行に延びている。本実施形態では、第２引き回し配線２５Ｃは、平面視で第２基板１１Ｃにおける周縁部に設けられている。第２引き回し配線２５Ｃは、第２電極パターン１７Ｃの配置領域に対してＹ軸方向片側に設けられている。第２引き回し配線２５Ｃは、Ｘ軸方向に沿って互いに平行に延びている。第１引き回し配線２１Ｃ及び第２引き回し配線２５Ｃの端部には、第１電極パターン９Ｃ及び第２電極パターン１７Ｃを外部の制御部に接続するための複数の外部接続端子２９Ｃが設けられている。
【００４９】
第１電極パターン９Ｃ及び第２電極パターン１７Ｃに生じる静電容量の変化に応じて流れる電流を制御部で検知することで、ユーザーによるタッチ操作及びタッチ位置を検出できる。
【００５０】
（２）ダミー電極
図１１〜図１５を用いて、ダミー電極パターン５１Ｃを説明する。図１１は、第１電極パターンの模式的部分平面図である。図１２は、第２電極パターンの模式的部分平面図である。図１３は、第１電極パターン及び第２電極パターンの模式的部分平面図である。図１４は、図１３の部分拡大図である。図１５は、図１４において矢印部分の断面構造を描いた模式図である。
【００５１】
図１２に示すように、第２基板１１Ｃの第２電極パターン１７Ｃが形成されていない領域に、ダミー電極パターン５１Ｃが形成されている。
ダミー電極パターン５１Ｃは、複数のダミー電極５１ｄを有する。複数のダミー電極５１ｄは、Ｘ軸方向に沿って配列される。ダミー電極５１ｄは、物理的にも電気的にも、第２電極１７ｃ及び他のダミー電極５１ｄに接続されないように配列されている。
【００５２】
ダミー電極パターン５１Ｃのダミー電極５１ｄは、第１隙間８５により複数の微細領域５１ｅに分割されている。このように、ダミー電極５１ｄを第１電極９ｃに比して微細な島状のパターンとして形成することにより、ダミー電極パターン５１Ｃに生じる寄生容量を低減できる。
なお、第１電極パターン９Ｃの第１電極９ｃの隙間８９の大半は、第２電極パターン１７Ｃ及びダミー電極パターン５１Ｃによって覆われている。したがって、大半の隙間８９の箇所は平面視で他の電極部材によって覆われていることになる。しかし、平面視において、ダミー電極パターン５１Ｃの第１隙間８５が隙間８９に平面視で重なる箇所は「平面視で電極材料が形成されていない部分」となってしまう。
【００５３】
（３）ダミー電極パターンの覆い部分
上記の問題を低減するための構造を説明する。
ダミー電極パターン５１Ｃは、第１電極パターン９Ｃの第１電極９ｃ同士の隙間８９に対応する覆い部分（後述）を有しており、それにより第１電極パターン９Ｃ及びダミー電極パターン５１Ｃが平面視でともに形成されていない部分（つまり、「平面視で電極材料が全く形成されていない部分」）を減らしている。その結果、パターン見えを減らしている。
【００５４】
複数の第１電極９ｃ同士の間の複数の隙間８９は直線状である。複数のダミー電極５１ｄの隙間９５（第１隙間８５の一部である）は複数の隙間８９に対応するジグザグ形状部によってそれらの周辺つまり周りに第３覆い部分９７を構成しており、それにより複数の第１電極９ｃ同士の複数の隙間８９を覆っている。この結果、隙間８９と隙間９５が平面視で互いに重なる部分は、複数の点領域Ｐになっている。
以上の配置関係によって、貼り合わせ誤差が生じたとしても、第１電極パターン９Ｃとダミー電極パターン５１Ｃが形成されていない部分（つまり、「平面視で電極材料が全く形成されていない部分」）は、図１３及び図１４に示すように、複数の点領域Ｐであることが維持される。つまり、上記部分が線領域として現れることがない。
【００５５】
図１５の（ａ）は、図１４のＣ−Ｃ断面であって、２つの点領域Ｐを示している。
図１５の（ｂ）は、図１４のＤ−Ｄ断面であって、点領域Ｐは示されていない。
図１５の（ｃ）は、図１４のＥ−Ｅ断面であって、多数の点領域Ｐが示されている。
なお、本実施形態とは異なる第３の例として、例えばダミー電極５１ｄが複数の隙間８９に対応する位置にＸ方向に延びる直線の隙間を有しており、しかもそれが隙間８９に重なってしまえば、図１５の（ｃ）において「平面視で電極材料が全く形成されていない領域」が線状に形成されてしまう。
【００５６】
（４）第２実施形態の変形例
（４−１）第１変形例
前記実施形態では、各電極パターンが２枚の基板各々に形成されたタッチパネルを説明したが、本発明は各電極パターンが１枚の基板の両面に形成されたタッチパネルにも適用できる。
【００５７】
以下、図１６を用いて、そのような変形例を説明する。図１６は、変形例のタッチパネルの模式的平面図である。
タッチパネル１Ｄは、基本構造として、線状格子の電極パターンと基板１層構造を採用している。
【００５８】
タッチパネル１Ｄは、透明基板３Ｄと、その一方の面に形成された第１電極パターン９Ｄと、その他方の面に形成された第２電極パターン１７Ｄとを有する。
タッチパネル１Ｄは、１枚の透明基板３Ｄの両面に第１電極パターン９Ｄ及び第２電極パターン１７Ｄを備えることで、センサ全体としての薄型化が図られている。
【００５９】
（４−２）第２変形例
第２実施形態では覆い部分はジグザグ形状の隙間で形成されていたが、他の形状で形成されてもよい。
図１７を用いて、覆い部分の変形例を説明する。図１７は、変形例の第１電極パターン及び第２電極パターンの模式的部分平面図である。
【００６０】
ダミー電極パターン５１Ｅの複数のダミー電極５１ｄの隙間１０１（第１隙間８５の一部である）は複数の隙間８９に対応する複数の斜線部によってそれらの周辺つまり周りに第３覆い部分１０３を構成しており、それにより複数の第１電極９ｃ同士の複数の隙間８９を覆っている。この結果、隙間８９と隙間１０１が平面視で互いに重なる部分は、複数の点領域Ｐになっている。
複数の隙間１０１は、Ｙ軸方向に延びる直線隙間と交互に形成されて互いに同じ側に傾いており、したがって隙間８９に対する傾斜角度が大きくなっている。これにより、隙間１０１と隙間８９が交差する部分の面積が小さくなっている。
以上の配置関係によって、貼り合わせ誤差が生じたとしても、第１電極パターン９Ｅとダミー電極パターン５１Ｅが形成されていない部分（つまり、「平面視で電極材料が全く形成されていない部分」）は、複数の点領域Ｐであることが維持される。つまり、上記部分が線領域として現れることがない。
【００６１】
（４−３）第３変形例
図１８を用いて、覆い部分の変形例を説明する。図１８は、変形例の第１電極パターン及び第２電極パターンの模式的部分平面図である。
ダミー電極パターン５１Ｆの複数のダミー電極５１ｄの隙間１０５（第１隙間８５の一部である）は複数の隙間８９に対応する複数の斜線部によってそれらの周辺につまり周りに第３覆い部分１０７を構成しており、それにより複数の第１電極９ｃ同士の複数の隙間８９を覆っている。この結果、隙間８９と隙間１０５が平面視で互いに重なる部分は複数の点領域Ｐになっている。
複数の隙間１０５は、Ｙ軸方向に延びる直線隙間と交互に形成されて互いに同じ側に傾いており、したがって隙間８９に対する傾斜角度が大きくなっている。これにより、隙間１０５と隙間８９が交差する部分の面積が小さくなっている。隙間１０５は、第２変形例の隙間１０１とは異なり、斜線部の両端がＸ軸方向に伸びている。これにより、斜線部の両端において直線部に接続される部分の角度が第２変形例に比べて大きくなるので、パターニング工程でのパターン欠けに起因する導電パターンの変形が起こりにくい。
以上の配置関係によって、貼り合わせ誤差が生じたとしても、第１電極パターン９Ｆとダミー電極パターン５１Ｆが形成されていない部分（つまり、「平面視で電極材料が全く形成されていない部分」）は、複数の点領域Ｐであることが維持される。つまり、上記部分が線領域として現れることがない。
【００６２】
（４−４）第４変形例
図１９を用いて、覆い部分の変形例を説明する。図１９は、変形例の第１電極パターン及び第２電極パターンの模式的部分平面図である。
ダミー電極パターン５１Ｇの複数のダミー電極５１ｄの隙間１０９（第１隙間８５の一部である）は複数の隙間８９に対応する複数の斜線部によって覆い部分を構成しており、それにより複数の第１電極９ｃ同士の間の複数の隙間８９を覆っている。
第１隙間８５は、第３変形例とは異なり、Ｘ軸方向に延びる直線部分を有していない。隙間１０９は、第１隙間８５のＹ軸方向に伸びる複数の直線の間において、Ｙ軸方向に複数並べられた斜線部である。複数の隙間１０９は互いに同じ側に傾いている。以上により、各ダミー電極５１ｄ全体が第３覆い部分となっている。この結果、隙間８９と隙間１０９が平面視で互いに重なる部分は、複数の点領域Ｐになっている。
【００６３】
さらに具体的には、各ダミー電極５１ｄにおいてＹ軸方向に３本の列が形成され、各列に複数の隙間１０９が並んでいる。しかし、他の列の隙間１０９に対して、隙間１０９はＹ軸方向にずれて形成されている。具体的には各列において隙間１０９は等間隔で配置されているが、列ごとに周期は異なっていて、そのため各列において全ての隙間１０９の両端の直線部がＹ軸方向において不一致である。したがって、貼り合わせ誤差があったとしても、各列において隙間８９と複数の隙間１０９の直線部が複数箇所で重なることがない。つまり、各列において隙間８９に重なる複数の隙間１０９の数は最大一つである。
以上の配置関係によって、貼り合わせ誤差によって隙間８９と隙間１０９がずれたとしても、第１電極９ｃとダミー電極パターン５１Ｇが形成されていない部分（つまり、「平面視で電極材料が全く形成されていない部分」）は、複数の点領域Ｐである可能性が高くなっており、また上記部分が線領域として現れても数が制限されている。
【００６４】
（４−５）第５変形例
図２０に示す変形例では、ダミー電極パターン５１Ｈの複数のダミー電極５１ｄは、複数の第１電極９ｃ同士の隙間８９及び隙間８９のＹ軸方向両側に対応する部分が覆い部分１１３を構成している。覆い部分１１３は、Ｘ軸方向に伸びる隙間１１１によってＹ方向両側が画定されている。図２０は、第１電極パターン及び第２電極パターンの模式的部分平面図である。
複数の隙間１１１同士の間が覆い部分１１３を構成することで、複数の第１電極９ｃ同士の隙間８９を覆っている。
以上の配置関係によって、貼り合わせ誤差が生じたとしても、第１電極パターン９Ｈとダミー電極パターン５１Ｈが形成されていない部分（つまり、「平面視で電極材料が全く形成されていない部分」）は、生じにくい。
【００６５】
３．他の実施形態
以上、本発明の複数の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組み合せ可能である。
異なる層の電極パターン側の隙間を覆う覆い部分は、第１電極パターン及び第２電極パターンのいずれに設けられていてもよいし、両方に設けられていてもよい。
【産業上の利用可能性】
【００６６】
本発明は、静電容量式タッチパネルに広く適用できる。
【符号の説明】
【００６７】
１Ａ    ：タッチパネル
３Ａ    ：第１基板
７Ａ    ：第１絶縁層
９Ａ    ：第１電極パターン
１７Ａ  ：第２電極パターン
５１Ａ  ：第１ダミー電極パターン
５１ａ  ：第１ダミー電極
５１ｂ  ：第１スリット
５１ｃ  ：微細領域
５３Ａ  ：第２ダミー電極パターン
５３ａ  ：第２ダミー電極
５３ｂ  ：第２スリット
５３ｃ  ：微細領域
７５    ：第１覆い部分
８１    ：第２覆い部分
【図１】
2018120276.tif 000003
【図２】
2018120276.tif 000004
【図３】
2018120276.tif 000005
【図４】
2018120276.tif 000006
【図５】
2018120276.tif 000007
【図６】
2018120276.tif 000008
【図７】
2018120276.tif 000009
【図８】
2018120276.tif 000010
【図９】
2018120276.tif 000011
【図１０】
2018120276.tif 000012
【図１１】
2018120276.tif 000013
【図１２】
2018120276.tif 000014
【図１３】
2018120276.tif 000015
【図１４】
2018120276.tif 000016
【図１５】
2018120276.tif 000017
【図１６】
2018120276.tif 000018
【図１７】
2018120276.tif 000019
【図１８】
2018120276.tif 000020
【図１９】
2018120276.tif 000021
【図２０】
2018120276.tif 000022